(57)【要約】【課題】  流し台の収納穴部内へ調理器本体を組み込む作業性が良く、且つ、組み込み時の安全性を大幅に向上し得る組込式加熱調理器を提供する。【解決手段】  組込式加熱調理器１は、流し台９０の上面開口９４より当該流し台９０に組み込まれる本体ケース４を備え、この本体ケース４上部に設けられた加熱体と本体ケース４前面に設けられたグリラー３２とにより加熱調理を行う。本体ケース４の背面に、流し台９０の上面開口９４縁に係止可能なストッパー部材４０を突出して設ける。【選択図】          図３
2006284007.tif 000002
【特許請求の範囲】
【請求項１】
流し台の上面開口より当該流し台に組み込まれる本体ケースを備え、該本体ケース上部に設けられた加熱体と本体ケース前面に設けられたグリラーとにより加熱調理を行う組込式加熱調理器において、
前記本体ケースの背面に、前記流し台の上面開口縁に係止可能なストッパー部材を突出して設けたことを特徴とする組込式加熱調理器。
【請求項２】
前記ストッパー部材は、前記本体ケースの背面に固定された固定板と、左右方向を回動軸として前記固定板に回動自在に設けられた可動板とから構成され、
前記本体ケースを前記流し台の上面開口に組み込むとき、前記可動板はその先端が前記本体ケースの背面より離間する方向に突出し、前記本体ケースを前記流し台から取り出すときは、前記可動板はその先端が前記本体ケースに近接することを特徴とする請求項１に記載の組込式加熱調理器。
【請求項３】
前記可動板上側の前記本体ケースの背面に突起を設けると共に、前記ストッパー部材には付勢部材を設け、
該付勢部材は、前記可動板を前記突起部に押しつける方向に常時付勢することを特徴とする請求項２に記載の組込式加熱調理器。
【請求項４】
前記可動板に弾性部材を設けたことを特徴とする請求項２又は３のいずれかに記載の組込式加熱調理器。
【請求項５】
前記可動板に、左右方向を回転軸とする回転ローラを設け、
前記本体ケースを前記流し台の上面開口に組み込むとき、前記回転ローラは前記流し台の上面に当接することを特徴とする請求項２又は３のいずれかに記載の組込式加熱調理器。
【請求項６】
前記回転ローラを弾性部材にて構成したことを特徴とする請求項５に記載の組込式加熱調理器。
【発明の詳細な説明】
【技術分野】
【０００１】
本発明は、流し台に組み込まれる組込式加熱調理器に関するものである。
【背景技術】
【０００２】
従来の加熱調理器、特に流し台の収納穴部に組み込んで煮物や焼き物などの被加熱物を加熱調理する組込式加熱調理器は、調理器本体の重量が約２０Ｋｇ強もある重いものであった。この重い調理器本体を、上面に設けられた上面開口と前面に設けられた前面穴部からなる流し台の収納穴部に、作業者が１人で持ち上げて組み込んでいた。即ち、流し台に調理器本体を組み込む場合、調理器本体上面に設けられた枠体の両側を手で持って、流し台の手前から少し両手の肘を伸ばして調理器本体を斜めに傾斜させる。
【０００３】
そして、傾斜させた調理器本体を流し台の上面開口から収納穴部内に挿入した後、手前側に移動させて枠体の前側を流し台の上面開口縁に係止する。次に、前面操作部が設けられた調理器本体の前面下部側を、収納穴部の前側に形成された前面開口に合わせて挿入した後、調理器本体の後部を下方に回動させて流し台の収納穴部に調理器本体を設置する。このような作業を行い、流し台の上面開口から収納穴部内に調理器本体を一気に組み込んでいた（特許文献１参照）。
【０００４】
【特許文献１】特開平１１−１２１１５５号公報
【発明の開示】
【発明が解決しようとする課題】
【０００５】
しかしながら、重量の重い調理器本体を１人で傾斜させて流し台の収納穴部に組み込む場合、肘を伸ばすとどうしても腕に力が入らない。このため、腰や手首或いは肘や腕などに大きな負担が加わり、最悪の場合手首や腰を痛めてしまうという問題もあった。
【０００６】
また、調理器本体を流し台に組み込む際、手や腕に力が入りにくいため、流し台を組み込む作業性が悪く、調理器本体を流し台の収納穴部に組み込む途中で手首の角度を変更し難い。このため、調理器本体を流し台に衝突して調理器本体の前面に設けられた前面操作部に傷を付けてしまったり、流し台に傷を付けてしまうなどの問題があった。
【０００７】
また、調理器本体を流し台に組み込む作業性が悪いため、流し台の上面開口縁と枠体との間に指を挟んでしまうという危険性も生じる。
【０００８】
本発明は、前記課題に鑑み為されたものであり、流し台の収納穴部内へ調理器本体を組み込む作業性が良く、且つ、組み込み時の安全性を大幅に向上し得る組込式加熱調理器を提供するとを目的とする。
【課題を解決するための手段】
【０００９】
前記目的を達成するために、本発明にかかる組込式加熱調理器は、流し台の上面開口より当該流し台に組み込まれる本体ケースを備え、該本体ケース上部に設けられた加熱体と本体ケース前面に設けられたグリラーとにより加熱調理を行う組込式加熱調理器において、前記本体ケースの背面に、前記流し台の上面開口縁に一時的に係止可能なストッパー部材を突出して設けたことを特徴とする。
【発明の効果】
【００１０】
本発明の組込式加熱調理器によれば、本体ケースの背面に、流し台の上面開口縁に係止可能なストッパー部材を突出して設けたので、調理器本体を流し台の収納穴部内に組み込む際、その組み込み途中でストッパー部材を流し台の上面開口縁に係止して置くことができる。これにより、調理器本体を流し台の収納穴部に組み込む際、例えば調理器本体を一時上面開口縁に係止した後、身体を立て直し、すなわち持ち手を変える等をしてから、収納穴部内に収納することができる。従って、流し台の収納穴部内に調理器本体を組み込む作業性を大幅に改善することができるので、腰や手首、或いは肘などにかかる大きな負担を大幅に軽減することができ、然も、腕や腰を痛めてしまうなどの不都合を未然に防止することができるようになるものである。
【発明を実施するための最良の形態】
【００１１】
実施の形態１．
以下、本発明の一実施形態に基づき、本発明を詳しく説明する。図１は本実施形態における組込式加熱調理器１を収納穴部９３に組み込んだ流し台９０の斜視図、図２は本実施形態における組込式加熱調理器１を収納穴部９３に組み込む以前の流し台９０の斜視図、図３は本実施形態における本体ケース４の背面にストッパー部材４０を取り付けた組込式加熱調理器１の斜視図、図４は本実施形態に係る組込式加熱調理器１に設けたストッパー部材４０の斜視図をそれぞれ示している。
【００１２】
流し台９０の上面一側には、図１に示すようにシンク９２が設けられており、このシンク９２の横には所定の間隔を存して設けられた収納穴部９３（図２に図示）内に、組込式加熱調理器１が組み込まれている。該収納穴部９３は、図２に示すように流し台９０の上面側に形成された上面開口９４と、前面側（使用者側）に形成された前面開口９６とを有している。
【００１３】
一方、組込式加熱調理器１は、内部に抵抗コイルや誘導コイルなどからなる加熱体（図示せず）を有する調理器本体２を備えており、この調理器本体２は、図３に示すように上ケース６と、この上ケース６の下部に設けられた下ケース８とからなる本体ケース４にて覆われている。該本体ケース４は、上ケース６と下ケース８と一体の箱状に形成されることにより構成されている。
【００１４】
そして、調理器本体２が流し台９０の上方から収納穴部９３に挿入されると、上面開口９４には上ケース６が嵌め込まれ、前面開口９６には下ケース８の前面が嵌め込まれるようになっている。このとき、下ケース８の前面側は、前面開口９６に面一、若しくは、僅かに露出、若しくは、僅かに凹陥した状態で組み込まれる。
【００１５】
また、調理器本体２の本体ケース４上面には、上面開口部（図示せず）が開口して設けられており、この上面開口部を覆う形で天板体１０が設けられている。天板体１０は、平板状のトッププレート１２と、このトッププレート１２の周囲に配設された枠体１６にて構成されている。トッププレート１２は、例えばセラミックスプレート或いは耐熱ガラスなどの如き非磁性材料にて構成され、本体ケース４の上面開口部に接着剤等により固定されている。
【００１６】
このトッププレート１２の上面には、磁性材料からなる調理鍋やフライパン等の調理器の載置位置を表示する載置部としてのサークルライン１４Ａ、１４Ｂ、１４Ｃ（図１に図示）が設けられている。これらの各サークルライン１４Ａ、１４Ｂ、１４Ｃの近傍には火力表示部（図示せず）が設けられており、この火力表示部にトッププレート１２上面に載置された被加熱物の温度や調理時間などが表示される。
【００１７】
また、枠体１６は、上ケース６より僅かに大きく形成されると共に、上面開口９４より僅かに大きく形成されている。そして、調理器本体２を流し台９０の収納穴部９３に組み込む際、本体ケース４（上ケース６と下ケース８）が上面開口９４内から収納穴部９３内に挿入されると、枠体１６が上面開口９４周囲の縁に引っかかって吊り下げられ、収納穴部９３内に本体ケース４が落下しないようになっている。
【００１８】
上ケース６の前部（枠体１６の前部）には、加熱体の加熱量やタイマー設定などの操作を行う複数の操作ボタンを備えた天面操作部１８が設けられている。この天面操作部１８は、各発熱体に対応して設けられると共に、枠体１６の幅方向一側から他側に渡って設けられている。
【００１９】
また、調理器本体２には図１に示すようにグリラー３２と前面操作部１９が設けられており、グリラー３２は下ケース８の左側、前面操作部１９はグリラー３２の横（実施例ではグリラー３２の右側）に設けられている。この前面操作部１９は、下ケース８の前面に設けられ、天面操作部１８同様複数の操作ボタンや電源スイッチなどが設けられている。この前面操作部１９は、天面操作部１８同様加熱体の加熱量やタイマー操作などができるようになっている。
【００２０】
グリラー３２には、前方側（使用者側）から出し入れ自在の引き出し３４が設けられており、内部には電気抵抗体からなる加熱体（図示せず）が設けられている。また、引き出し３４には、グリラー３２の前面開口を閉塞自在に閉塞するドア３６が設けられると共に、ドア３６には引き出し３４をグリラー３２室内に出し入れするための取っ手３６Ａが取り付けられている。尚、１６Ａは、グリラー３２内で肉や魚などの被加熱物を加熱調理する際、それらから発生した煙や蒸気、或いは、臭いなどを調理器本体２外部に排出するための排気口である。
【００２１】
一方、本実施形態における組込式加熱調理器１には、本体ケース４の背面にストッパー部材４０を設けている。このストッパー部材４０は、流し台９０の上面開口９４縁に調理器本体２の後部を係止可能に構成している（図３に図示）。即ち、ストッパー部材４０は、本体ケース４背面の両側の所定位置に設けられ、本体ケース４より所定寸法突出して設けられている。
【００２２】
図４にはストッパー部材４０の斜視図を示している。即ち、ストッパー部材４０は、本体ケース４の背面に固定される固定板４２と、この固定板４２に回動自在に取り付けられた可動板４６とから構成されている。固定板４２と可動板４６はそれぞれ別々の横長略矩形状の金属板にて構成されている。可動板４６の一片には中央部が所定寸法切り欠かれ、一側に保持部４６Ａが設けられると共に、固定板４２の一片にも保持部４６Ｂが設けられている。
【００２３】
該固定板４２の保持部４６Ｂには円柱形の回動軸４４が設けられており、この保持部４６Ｂと回動軸４４は回動自在に固定されている。回動軸４４は、所定の長さで所定の直径にて構成されており、可動板４６の保持部４６Ａも回動自在に回動軸４４に保持されている。即ち、ストッパー部材４０は、回動軸４４を中心に固定板４２と可動板４６とが回動自在に設けられた、所謂蝶番同様に構成されている。尚、回動軸４４は可動板４６の保持部４６Ａに固定しても差し支えない。この場合、固定板４２の保持部４６Ｂを回動軸４４に回動自在に保持すれば良い。
【００２４】
また、ストッパー部材４０には、トーションバネにて構成された付勢部材４８が設けられている。この付勢部材４８は、両端に所定の長さの腕を有し、可動板４６と固定板４２の保持部４６Ａ、４６Ｂ間に設けられている。付勢部材４８の一方の腕は固定板４２に、他方の腕は可動板４６に係合され、固定板４２と可動板４６とを少なくとも９０度以上開くように構成している。尚、４２Ａは、固定板４２を下ケース８に固定するためのネジ穴である。
【００２５】
前記本体ケース４は、上ケース６と下ケース８にて上下に略２分割されており、下ケース８の前部は上ケース６より所定寸法突出（図８に図示）すると共に、下ケース８の後部側は上ケース６に略接する箇所から下方に行くに従って前方に傾斜する傾斜面８Ａ（図３に図示）を有している。この傾斜面８Ａの上部両側には突起２０が設けられており、この突起２０は図３に示すように本体ケース４の背面より所定寸法突出している。この突起２０は、本体ケース４より突出して設けた可動板４６の長さの１／２〜１／３の長さに形成されており、この突起２０によって、可動板４６が所定の角度より上方に回動しないようになっている。
【００２６】
次に、図５はストッパー部材４０を調理器本体２の背面に取り付けた本体ケース４（上ケース６）の断面図を示している。下ケース８の下側には、下ケース８内外を貫通して形成された挿通穴２２が設けられており、この挿通穴２２はストッパー部材４０の可動板４６が挿通された状態で回動可能な大きさに形成されている。挿通穴２２の上部には本体ケース４内側に折り曲げられた固定部２０Ａが設けられ、突部２０と同じ役目すなわち可動板４６の必要以上の可動を規制している。また、挿通穴２２の下部にはストッパー部材４０を固定するためのネジ穴２２Ａが設けられている。
【００２７】
図６はストッパー部材４０の側面図を示している。ストッパー部材４０の可動板４６には、ゴム、スポンジ、モルトプレーン、或いは、軟性合成樹脂などの軟質材からなる弾性部材５０が設けられており、この弾性部材５０は所定の厚さの板状に形成され、可動板４６の一面に接着剤にて固定されている。弾性部材５０は、保持部４６Ａ（回動軸４４）の反対側に固定されると共に、ストッパー部材４０が下ケース８に固定された状態で固定部２０Ａと反対側の面（可動板４６の下面）に固定されている。
【００２８】
図７はストッパー部材４０を取り付けた調理器本体２の背面図を示している。そして、本体ケース４内から挿通穴２２に可動板４６が挿入された後、下ケース８のネジ穴２２Ａからネジ２４が挿入され、固定板４２のネジ穴４２Ａに螺合され固定される。即ち、ストッパー部材４０を構成する固定板４２は、本体ケース４内に固定され、可動板４６は本体ケース４内から背面外部に延在する。この状態で、回動軸４４を中心に可動板４６の先端が上下下方（固定部２０Ａの離間側）に回動するようになっている（図５矢印）。
【００２９】
また、ストッパー部材４０には前述した如き可動板４６を常時９０度以上開くための付勢部材４８を設けている。可動板４６は、この付勢部材４８の付勢力で挿通穴２２上に設けられた固定部２０Ａに付勢される。このとき、可動板４６は、下ケース８の傾斜面８Ａに対して略直角になる。該ストッパー部材４０には付勢部材４８を設けているので、可動板４６を固定部２０Ａの離間側に回動させた場合でも、付勢部材４８の付勢力によって戻り固定部２０Ａに当接するようになっている。即ち、ストッパー部材４０の可動板４６先端は、付勢部材４８によって常時本体ケース４より離間して下ケース８に設けられた固定部２０Ａに付勢されると共に、付勢部材４８が弾性変形することにより、固定部２０Ａから離間して本体ケース４に近接するようになっている。
【００３０】
次に、図８には調理器本体２を流し台９０の収納穴部９３内に組み込む状態を示す流し台９０の断面図を示している。上述のようなストッパー部材４０が設けられた調理器本体２を流し台９０の収納穴部９３内に組み込む場合、まず、トッププレート１２周囲に設けた枠体１６の前後方向略中央両側を両手で持って持ち上げ、流し台９０の手前側（使用者側）から少し両手の腕や肘を伸ばして調理器本体２を斜めに傾斜させる。
【００３１】
そして、調理器本体２は図８矢印で示すように流し台９０の後方斜め上方より下ケース８前部を最初に収納穴部９３に挿入し、枠体１６の前側縁を収納穴部９３の上面開口９４縁に僅か引っかける。このとき、下ケース８の後部側に傾斜面８Ａを形成しているので、下ケース８の後部が上面開口９４縁に引っかかることなく、収納穴部９３内に調理器本体２を挿入することができる。そして、枠体１６の前側縁を上面開口９４縁に僅か引っかけた状態で、傾斜した調理器本体２が水平になるように、調理器本体２の後部を下方に回動させていく。
【００３２】
このとき調理器本体２の背面には、ストッパー部材４０の可動板４６が突出しているので、調理器本体２の後部を下方に回動させていく過程で、可動板４６は収納穴部９３の上面開口９４縁に係止される。係る可動板４６の下面側には、弾性部材５０を設けているので、可動板４６によって流し台９０の上面開口９４縁に傷が付いてしまうなどの不都合を防止することができる。
【００３３】
そして、可動板４６が収納穴部９３の上面開口９４縁に係止されている状態では、調理器本体２は流し台９０の収納穴部９３内に落下しないので、トッププレート１２の略中央両側を持っていた手を離すことができる。ここで調理器本体２の組み込み作業を一時停止し、一休みしても良い。次に、手首の角度を変更して再度枠体１６の前後方向略中央両側を両手で持って調理器本体２を僅か持ち上げ、調理器本体２を手前側に移動させて下ケース８の前面側を流し台の前面開口９６に挿入する。
【００３４】
調理器本体２を手前側に移動すると、収納穴部９３の上面開口９４縁に係止させた可動板４６は、上面開口９４内側に移動するので、そのまま調理器本体２の後部を下方に回動させれば、枠体１６全体が収納穴部９３の上面開口９４縁に引っかかる。これによって、流し台９０の収納穴部９３内に調理器本体２を容易に組み込むことができる。
【００３５】
このように、可動板４６の先端を本体ケース４の背面より離間する方向に突出させているので、調理器本体２を流し台９０の収納穴部９３内に組み込む際、可動板４６を流し台９０の上面開口９４縁に係止して置くことができる。これにより、調理器本体２を収納穴部９３内に組み込む途中で、調理器本体２の背面側を流し台９０の上面開口９４縁に一時載置して置くことができ便利である。
【００３６】
また、調理器本体２を流し台９０の上面開口９４縁に一時載置して置くことができるので、調理器本体２から手を離し手首の角度を変えてから流し台９０の収納穴部９３内に調理器本体２を収納し組み込むことができる。これにより、調理器本体２が流し台９０に衝突して、調理器本体２の前面に設けた前面操作部１９や、流し台９０に傷を付けてしまうなどの不都合を未然に防止することができ便利である。
【００３７】
図９は、流し台９０の収納穴部９３内に組み込んだ調理器本体２を取り出す状態を示す流し台９０の断面図である。即ち、ストッパー部材４０の可動板４６先端は、前述した如き付勢部材４８が弾性変形することにより、突起２０から離間して本体ケース４に近接するようになっている。そして、流し台９０の収納穴部９３内に組み込んだ調理器本体２を取り出す場合は、図９に矢印で示すように枠体１６の前後方向略中央両側を両手で持って可動板４６が上面開口９４縁に接すると、可動板４６が回動して本体ケース４に近接する。これにより、上面開口９４縁に可動板４６が引っかかることなく、流し台９０の収納穴部９３から調理器本体２を取り出すことができる。
【００３８】
このように、調理器本体２を流し台９０から取り出すときは、可動板４６の先端が上面開口９４縁に接して回動し本体ケース４に近接するようにしている。これにより、流し台９０の収納穴部９３内に組み込んだ調理器本体２を修理やメンテナンスで取り出す際、可動板４６の先端が上面開口９４縁に引っかかってしまう不都合を阻止することができる。また、可動板４６が収納穴部９３の縁に引っかかって、流し台９０の収納穴部９３から調理器本体２が取り出せないなどの不都合も防止することができる。従って、調理器本体２を流し台９０の収納穴部９３内へ組み込んだり、取り出したりする作業性を大幅に改善することができ便利である。
【００３９】
また、ストッパー部材４０に付勢部材４８を設け、この付勢部材４８にて可動板４６を本体ケース４の突起２０に常時付勢するようにしているので、調理器本体２を流し台９０の収納穴部９３内に組み込む際、突起２０に手で可動板４６を押しつけなくても良い。これにより、調理器本体２を流し台９０の収納穴部９３内に組み込む際、可動板４６を本体ケース４の突起２０に押しつけて置く手間を省くことができ便利である。従って、流し台９０の収納穴部９３内に容易に調理器本体２を出し入れでき便利である。
【００４０】
また、流し台９０の収納穴部９３内に組み込んだ調理器本体２を取り出す際、可動板４６が上面開口９４縁に接することにより回動して本体ケース４に近接するので、上面開口９４縁に可動板４６が引っかかることがない。これにより、可動板４６を本体ケース４の背面より離間する方向に突出させても、収納穴部９３内に収納した調理器本体２の取り出し作業に何ら支障がなく便利である。従って、流し台９０の収納穴部９３内へ、調理器本体２を組み込んだり取り出したりする作業性を大幅に改善することができる。
【００４１】
特に、重い調理器本体２を流し台９０の収納穴部９３内に組み込んだり、取り出したりする作業を容易に行うことができるので、腰や手首、或いは肘などにかかる大きな負担を軽減することができ、腕や腰を痛めてしまうなどの不都合を確実に防止することができる。また、流し台９０の収納穴部９３内へ調理器本体２を組み込む作業性も良くなるので、流し台９０の上面開口９４縁と枠体１６との間に指を挟んでしまうなどという危険性を未然に阻止することができる。従って、流し台９０の収納穴部９３内へ調理器本体２を組み込んだり、取り出したりする作業時の安全性を大幅に向上することができ便利である。
【００４２】
また、本体ケース４の背面に設けたストッパー部材４０を構成する可動板４６の下面に弾性部材５０を設けているので、調理器本体２を流し台９０の収納穴部９３内に組み込む過程で、可動板４６を流し台９０の上面開口９４縁に一時係止した場合でも、可動板４６で流し台９０の上面開口９４縁が傷付いてしまうなどの不都合を未然に防止することができる。これにより、調理器本体２を流し台９０の収納穴部９３内に組み込む際、流し台９０の上面開口９４縁が傷付いてしまうなどの不都合を心配せずに安心して組み込むことができる。
【００４３】
実施の形態２．
本実施形態における組込式加熱調理器１は、前述の実施形態と略同じ構成を有している。以下、異なる部分について説明する。尚、前述の実施の形態と同じ部分にはこれと同じ符号を付し、説明を省略する。また、実施の形態２では実施の形態１で可動板４６に取り付けた弾性部材５０を図示していない。図１０は本発明の他の一実施形態のストッパー部材４０（可動板４６）の斜視図、図１１は本発明の他の一実施形態のストッパー部材４０の側面図である。以下ストッパー部材４０は可動板４６を例にして説明する。即ち、可動板４６の先端部（保持部４６Ａの離間側）には、所定の幅でコ字状に切り欠かれた切欠部４７が設けられており、この切欠部４７に円筒形の回転ローラ５２が設けられている。
【００４４】
回転ローラ５２は、回転軸５４に回動自在に保持されており、この回転軸５４は切欠部４７の両側にカシメ固定されると共に、回動軸４４と略平行に取り付けられている。即ち、回転ローラ５２は、回転軸５４に保持されて円滑に回転するようになっている。回転ローラ５２はゴム、ナイロン、或いは、合成樹脂などの弾性材料からなる弾性部材にて構成されている。この回転ローラ５２は、調理器本体２を流し台９０の収納穴部９３内に挿入する際、収納穴部９３の上面開口９４縁に係止されるようになっている。そして、回転ローラ５２が収納穴部９３の上面開口９４縁に係止された状態で、回転ローラ５２は可動板４６自体が上面開口９４縁に接触しない直径を呈している。
【００４５】
即ち、ストッパー部材４０は、流し台９０の上面開口９４縁に可動板４６が接触せず、可動板４６に設けた回転ローラ５２が流し台９０の上面開口９４縁上面に当接するようになっている。そして、調理器本体２を流し台９０の収納穴部９３内に収納して組み込む際、調理器本体２後部に設けた可動板４６を流し台９０の上面開口９４縁に一時載置させると、回転ローラ５２が上面開口９４縁上面に当接する。その後調理器本体２を手前に移動させて前部を前面開口９６に挿入するとき回転ローラ５２は上面開口９４縁上で円滑に回転する。これにより、調理器本体２の前面を流し台９０の前面開口９６に挿入するときの操作力を大幅に軽減することができ便利である。
【００４６】
特に、回転ローラ５２を弾性材料にて構成しているので、流し台９０の上面開口９４に調理器本体２後部を一時載置した後、調理器本体２を手前に移動させたとき回転ローラ５２が回転しても、これによって上面開口９４縁上面に傷付いてしまうのを確実に防止することができる。従って、調理器本体２を流し台９０の収納穴部９３内に収納して組み込む作業を大幅に改善することができる。
【００４７】
実施の形態３．
本実施形態における組込式加熱調理器１は、前述の実施形態と略同じ構成を有している。以下、異なる部分について説明する。尚、前述の実施の形態と同じ部分にはこれと同じ符号を付し、説明を省略する。図１２は本発明の他の一実施形態のストッパー部材４０の斜視図、図１３はストッパー部材４０を調理器本体２の背面に取り付けた本体ケース４（下ケース８）の断面図である。
【００４８】
即ち、ストッパー部材４０は、実施の形態１の固定板４２と可動板４６とを一体に形成した一枚の金属板にて構成されている。ストッパー部材４０には、実施の形態１、２同様、回動軸４４を保持可能な保持部４０Ａが設けられている。この保持部４０Ａは、ストッパー部材４０の固定板４２と可動板４６との略中間がΩ字状に折曲され、折曲された箇所の中心に回動軸４４が固定されている。該固定板４２と可動板４６とは回動軸４４を中心にして略直角方向に延在している。
【００４９】
また、固定板４２の先端（回動軸４４の離間側）には重量部４３が設けられており、この重量部４３は固定板４２の先端が二重若しくは３重に折曲して設けられている。これにより、固定板４２の重量を可動板４６の重量より重くしている。即ち、重量部４３で固定板４２の先端を重くして、可動板４６の先端が固定板４２より軽くなるように構成している。これによって、実施の形態１及び実施の形態２のように付勢部材４８を設けなくても、回動軸４４を中心に固定板４２の先端が下方に、可動板４６の先端が上方に回動して固定部２０Ａに当接するようになっている。また、回動軸４４の両端には延在部４４Ａが設けられており、この延在部４４Ａは固定板４２より所定寸法延在している。
【００５０】
一方、前記本体ケース４の内側には回動軸４４の延在部４４Ａを固定するための固定部分（図示せず）が設けられており、この固定部分は下ケース８内に設けられている。そして、本体ケース４の固定部２０Ａの下に設けられた挿通穴２２に可動板４６が挿入された状態で、固定部に回動軸４４の両端に設けた延在部４４Ａが回動自在に保持固定される。この状態で、固定板４２は重量部４３が下方に回動して本体ケース４に近接し、可動板４６は上方に回動して突起２０に当接するようになっている。
【００５１】
そして、流し台９０の収納穴部９３内に調理器本体２を挿入するときは、固定板４２に設けた重量部４３によって、可動板４６の先端は本体ケース４より背面側に突出するので、前述同様可動板４６を収納穴部９３の上面開口９４縁に係止させることができる。また、流し台９０の収納穴部９３内に収納した調理器本体２を取り出す場合に、可動板４６が上面開口９４縁に当接すると、固定板４２の先端（重量部４３）は下ケース８より離間する。そして、可動板４６の先端は図１３矢印で示す如く下ケース８に近接するので、上面開口９４縁に可動板４６が引っかかることなく容易に調理器本体２を取り出すことができる（図１３点線）。
【００５２】
このように、実施の形態１及び実施の形態２で設けた付勢部材４８の代わりに、固定板４２の先端に重量部４３を設けることにより、付勢部材４８と同様の効果を得ることができる。従って、付勢部材４８が不要となり、ストッパー部材４０のコストを大幅に低減させることができ便利である。尚、実施の形態３では固定板４２と可動板４６とを回動軸４４を中心にして略直角方向に延在させたが、回動軸４４を中心にして固定板４２と可動板４６とを略直線上に配置すれば、重量部４３の重心を固定板４２上に置くことができる。これにより、固定板４２の重量部４３の重量を、可動板４６の回動に効率的に使用でき、可動板４６を確実に突起２０に当接させることができ便利である。
【００５３】
実施の形態４．
本実施形態における組込式加熱調理器１は、前述の実施形態と略同じ構成を有している。以下、異なる部分について説明する。尚、前述の実施の形態と同じ部分にはこれと同じ符号を付し、説明を省略する。図１４は、本発明の他の一実施形態のストッパー部材４０を取り付けた調理器本体２の斜視図である。
【００５４】
即ち、ストッパー部材４０は、実施の形態１の固定板４２と可動板４６とを一体に形成した一枚の金属板にて構成されており、固定板４２と可動板４６との中間が略直角に折曲され、横面Ｌ字状に形成されている。そして、固定板４２は、前述の実施の形態にて下ケース８に取り付けた固定板４２と略同じ位置に、溶接にて固定されている。尚、固定板４２に前述のネジ穴４２Ａ同様のネジ穴（図示せず）を設け、下ケース８に設けたネジ穴（図示せず）に、固定板４２をネジで固定しても差し支えない。
【００５５】
そして、流し台９０の収納穴部９３内に調理器本体２を挿入するときは、固定板４２に設けたＬ字状の可動板４６の先端が本体ケース４より背面側に突出しているので、前述同様可動板４６を収納穴部９３の上面開口９４縁に係止させることができる。また、流し台９０の収納穴部９３内に収納した調理器本体２を取り出すときは、可動板４６自体が上面開口９４縁に当接しないように、調理器本体２を前面開口９６側に移動させながら収納穴部９３内から引き出す。
【００５６】
これにより、流し台９０の収納穴部９３内から容易に、調理器本体２を引き出すことができる。尚、調理器本体２を収納穴部９３内から引き出す際、上面開口９４上に可動板４６が位置した状態で、調理器本体２を後部（前面開口９６の離間側）に移動させれば、収納穴部９３の上面開口９４縁に可動板４６を係止させ、そこで手首の角度を変更することなどもでき便利である。
【００５７】
このように、前述の実施の形態と略同様の効果を得られることだけでなく、Ｌ字状に折曲したストッパー部材４０を下ケース８に溶接固定しているだけなので、ストッパー部材４０のコストを大幅に低減させることができ便利である。
【００５８】
実施の形態５．
本発明は前述の各実施形態のみに限られるものではなく、この発明の範囲を逸脱しない範囲で他の様々な変更を行っても有効である。例えば、実施の形態１では可動板４６に弾性部材５０を設けたが、可動板４６をＡＢＳ樹脂のような軟質合成樹脂で構成すれば、可動板４６に弾性部材５０を設けなくても、可動板４６に弾性部材５０を設けたのと同様の効果が得られ、便利である。
【００５９】
また、実施の形態３では固定板４２と可動板４６とを回動軸４４を中心にして略直角方向に延在させたが、回動軸４４を中心にして固定板４２と可動板４６とを略直線上に配置すれば、重量部４３の重心を固定板４２上に置くことができる。これにより、固定板４２の重量部４３の重量を、可動板４６の回動に効率的に使用でき、可動板４６を確実に突起２０に当接させることができ便利である。
【００６０】
また、実施の形態３では固定板４２の先端を二重若しくは３重に折曲して重量部４３を設けたが、回動軸４４から先端までの固定板４２の寸法を可動板４６より長くして、固定板４２を可動板４６より重くしても同様の効果を得ることができる。また、可動板４６より固定板４２を厚くしても同様の効果を得られることは言うまでもない。
【００６１】
さらに、前述の各実施形態では、本体ケース４が上ケース６と下ケース８に２分割された加熱調理器を例にあげて説明を行ったが、これらの上ケース６と下ケース８が一体となった本体ケースによって加熱調理器が構成されているものにおいても、本発明は有効である。
【図面の簡単な説明】
【００６２】
【図１】本実施形態における組込式加熱調理器を収納穴部に組み込んだ流し台の斜視図である。
【図２】本実施形態における組込式加熱調理器を収納穴部に組み込む以前の流し台の斜視図である。
【図３】本実施形態における本体ケースの背面にストッパー部材を取り付けた組込式加熱調理器の斜視図である。
【図４】本実施形態における組込式加熱調理器に設けたストッパー部材の斜視図である。
【図５】ストッパー部材を調理器本体の背面に取り付けた本体ケース（上ケース）の断面図である。
【図６】ストッパー部材の側面図である。
【図７】ストッパー部材を取り付けた調理器本体の背面図である。
【図８】調理器本体を流し台の収納穴部内に組み込む状態を示す流し台の断面図である。
【図９】流し台の収納穴部内に組み込んだ調理器本体を取り出す状態を示す流し台の断面図である。
【図１０】本発明の他の一実施形態のストッパー部材（可動板）の斜視図である。
【図１１】本発明の他の一実施形態のストッパー部材の側面図である。
【図１２】本発明の他の一実施形態のストッパー部材の斜視図である。
【図１３】ストッパー部材を調理器本体の背面に取り付けた本体ケース（上ケース）の断面図である。
【図１４】本実施形態における本体ケースの背面にストッパー部材を取り付けた組込式加熱調理器の斜視図である。
【符号の説明】
【００６３】
１  組込式加熱調理器、２  調理器本体、４  本体ケース、６  上ケース、８  下ケース、８Ａ  傾斜面、１０  天板体、１２  トッププレート、１４Ａ  サークルライン、１４Ｂ  サークルライン、１４Ｃ  サークルライン、１６  枠体、１６Ａ  排気口、１８  天面操作部、１９  前面操作部、２０  突起、２０Ａ  固定部、２２  挿通穴、２２Ａ  ネジ穴、２４  ネジ、３２  グリラー、３４  引き出し、３６  ドア、３６Ａ  取っ手、４０  ストッパー部材、４０Ａ  保持部、４２  固定板、４２Ａ  ネジ穴、４３  重量部、４４  回動軸、４４Ａ  延在部、４６  可動板、４６Ａ  保持部、４７  切欠部、４８  付勢部材、５０  弾性部材、５２  回転ローラ、５４  回転軸、９０  流し台、９２  シンク、９３  収納穴部、９４  上面開口、９６  前面開口。
【図１】
2006284007.tif 000003
【図２】
2006284007.tif 000004
【図３】
2006284007.tif 000005
【図４】
2006284007.tif 000006
【図５】
2006284007.tif 000007
【図６】
2006284007.tif 000008
【図７】
2006284007.tif 000009
【図８】
2006284007.tif 000010
【図９】
2006284007.tif 000011
【図１０】
2006284007.tif 000012
【図１１】
2006284007.tif 000013
【図１２】
2006284007.tif 000014
【図１３】
2006284007.tif 000015
【図１４】
2006284007.tif 000016